(57)【要約】【課題】電子番組ガイド上で推奨番組情報を利用可能な受信装置および受信方法を提供する。【解決手段】受信装置が、放送波からＥＰＧ情報を取得するＥＰＧ取得部と、推奨番組情報を受信する受信部と、前記受信した推奨番組情報と前記取得したＥＰＧ情報とを比較する比較部と、前記比較部での比較結果および前記取得されたＥＰＧ情報に基づいて、ＥＰＧを表示する表示部と、を具備する。【選択図】図１
2008011403.tif 000002
【特許請求の範囲】
【請求項１】
放送波から電子番組ガイド情報を取得する取得部と、
推奨番組情報を受信する受信部と、
前記受信した推奨番組情報と前記取得した電子番組ガイド情報とを比較する比較部と、
前記比較部での比較結果および前記取得された電子番組ガイド情報に基づいて、電子番組ガイドを表示する表示部と、を具備することを特徴とする受信装置。
【請求項２】
前記受信される推奨番組情報が、推奨番組識別情報およびこの推奨番組識別情報が表す推奨番組のランキング情報を含み、
前記表示部が前記ランキング情報に基づいて前記電子番組ガイド上に推奨番組を表示することを特徴とする請求項１記載の受信装置。
【請求項３】
前記受信される推奨番組情報を記憶する不揮発性メモリをさらに具備し、
前記受信装置が起動してから電子番組ガイドが最初に表示されるときには、前記表示部が前記記憶された電子番組ガイド情報に基づいて電子番組ガイドを表示することを特徴とする請求項１記載の受信装置。
【請求項４】
推奨番組情報を送信する送信部をさらに具備することを特徴とする請求項１記載の受信装置。
【請求項５】
放送波から電子番組ガイド情報を取得するステップと、
推奨番組情報を受信するステップと、
前記受信した推奨番組情報と前記取得した電子番組ガイド情報とを比較するステップと、
前記比較の結果および前記取得された電子番組ガイド情報に基づいて電子番組ガイドを表示するステップと、を具備することを特徴とする受信方法。
【請求項６】
前記受信される推奨番組情報が推奨番組識別情報およびこの推奨番組識別情報が表す推奨番組のランキング情報を含み、
前記表示するステップにおいて、前記ランキング情報に基づいて前記電子番組ガイド上に推奨番組が表示されることを特徴とする請求項５記載の受信方法。
【請求項７】
前記受信される推奨番組情報を不揮発性メモリに記憶させるステップをさらに具備し、
前記受信装置が起動してから電子番組ガイドが最初に表示されるときには、前記表示するステップにおいて、前記記憶された電子番組ガイド情報に基づいて電子番組ガイドが表示されることを特徴とする請求項５記載の受信方法。
【請求項８】
推奨番組情報を送信するステップをさらに具備することを特徴とする請求項５記載の受信方法。
【発明の詳細な説明】
【技術分野】
【０００１】
本発明は、放送波を受信する受信装置および受信方法に関する。
【背景技術】
【０００２】
放送波を受信し、番組を視聴する受信装置が用いられている。
ここで、電子番組ガイド情報を用いて、録画または視聴したい番組を確認、選択する技術が公開されている（特許文献１参照）。
【特許文献１】特開２００３−２８９４９３号公報
【発明の開示】
【発明が解決しようとする課題】
【０００３】
ところで、数多くの番組が放送されることから、視聴者にとって視聴する番組の選択は必ずしも容易ではない。このため、新聞等に掲載される推奨番組（視聴を推奨する番組）の情報を参考として、視聴者が視聴する番組を決定する場合が多い。
しかしながら、このような推奨番組の情報は電子番組ガイド上で直接利用できるようにはなっておらず、利便性に欠ける点がある。
上記に鑑み、本発明は、電子番組ガイド上で推奨番組情報を利用可能な受信装置および受信方法を提供することを目的とする。
【課題を解決するための手段】
【０００４】
本発明の一態様に係る受信装置は、放送波から電子番組ガイド情報を取得する取得部と、推奨番組情報を受信する受信部と、前記受信した推奨番組情報と前記取得した電子番組ガイド情報とを比較する比較部と、前記比較部での比較結果および前記取得された電子番組ガイド情報に基づいて、電子番組ガイドを表示する表示部と、を具備することを特徴とする。
【０００５】
本発明の一態様に係る受信方法は、放送波から電子番組ガイド情報を取得するステップと、推奨番組情報を受信するステップと、前記受信した推奨番組情報と前記取得した電子番組ガイド情報とを比較するステップと、前記比較の結果および前記取得された電子番組ガイド情報に基づいて電子番組ガイドを表示するステップと、を具備することを特徴とする。
【発明の効果】
【０００６】
本発明によれば、電子番組ガイド上で推奨番組情報を利用可能な受信装置および受信方法を提供できる。
【発明を実施するための最良の形態】
【０００７】
以下、図面を参照して、本発明の実施の形態を詳細に説明する。
図１は、本発明の一実施形態に係る受信装置１００を表すブロック図である。
受信装置１００は、アンテナ１０１、チューナ・復調部１０２、デスクランブラ１０３、多重分離部（ＤＥＭＵＸ）１０４、映像・音声デコーダ１０５、モニタ１０６、スピーカ１０７、ＥＰＧ処理部１０８、制御部１１１、通信処理部１１２、キー入力部１１３、記憶部１２０から構成される。
【０００８】
アンテナ１０１は、放送局から送信される放送波を受信する。
チューナ・復調部１０２は、アンテナ１０１で受信された放送波から所望のチャンネルを選局し、復調して、トランスポートストリーム（以下、ＴＳと記す）を生成する。生成されたＴＳはデスクランブラ１０３に出力される。このＴＳは、スクランブル化放送番組信号、ＳＩ／ＰＳＩを含む多重化された信号である。スクランブル化放送番組信号は、例えば、ＭＰＥＧ−２の放送番組信号がスクランブル化されたものである。
【０００９】
ＳＩ／ＰＳＩは、番組配列情報である。
ＳＩは、ＳＤＴ（Service Definition Table）やＥＩＴ（Event Information Table）等を含む。ＳＤＴは、サービス（編成チャンネル）の詳細情報を記述する。ＥＩＴは、サービス内の番組の詳細情報を記述する。ＥＰＧ（Electronic Program Guide：電子番組ガイド）は主にＥＩＴを用いて作成される。
ＰＳＩは、多重された複数の番組の構成等を記述したものであり、ＰＡＴ（Program Association Table）、ＰＭＴ（Program Map Table）等を含む。
【００１０】
デスクランブラ１０３は、チューナ・復調部１０２から入力されたＴＳをデスクランブルして多重分離部１０４へ出力する。即ち、ＴＳ中のスクランブル化放送番組信号がデスクランブルされて、放送番組信号が生成される。
【００１１】
多重分離部１０４は、デスクランブラ１０３から入力されたＴＳから放送番組信号、ＳＩ／ＰＳＩデータ等を分離する。また、多重分離部１０４は、分離した放送番組信号を映像・音声デコーダ１０５へ出力する。
【００１２】
映像・音声デコーダ１０５は、多重分離部１０４から入力された放送番組信号をデコードして、モニタ１０６、スピーカ１０７へと出力する。
モニタ１０６は、ＣＲＴ、液晶表示装置等の表示装置である。スピーカ１０７は、音声出力装置である。
【００１３】
ＥＰＧ処理部１０８は、多重分離部１０４で分離されたＳＩデータからＥＰＧ（Electronic Program Guide：電子番組ガイド）情報を構成し、さらにＥＰＧの画像信号を生成する。この画像信号によってモニタ１０６にＥＰＧが表示される。利用者はＥＰＧを用いて番組を確認、予約できる。
ＥＰＧ処理部１０８は、放送波から電子番組ガイド情報を取得する取得部として機能する。ＥＰＧ処理部１０８は、推奨番組情報と電子番組ガイド情報の比較結果および電子番組ガイド情報に基づいて、電子番組ガイドを表示する表示部として機能する。
【００１４】
制御部１１１は、ＣＰＵ（Central Processing Unit：中央演算装置）から構成され、受信装置１００全体を制御する。制御部１１１は、推奨番組情報と電子番組ガイド情報とを比較する比較部として機能する。
通信処理部１１２は、モデム等の通信装置であり、インターネット等のネットワークを介して、推奨番組サーバ１３０との間で推奨番組データを送受信する。
【００１５】
推奨番組サーバ１３０は、推奨番組情報を登録するデータベースを有する。推奨番組サーバ１３０は、複数の受信装置１００から送信される推奨番組情報をデータベースに蓄積し、推奨された数に基づきそれぞれの番組にランキングを付与する。
【００１６】
図２は、推奨番組サーバ１３０に送信する推奨番組情報の一例を表す模式図である。
本図に示すように、送信される推奨番組情報は、それぞれ１６ｂｉｔ幅のネットワークＩＤ（network_id）、サービスＩＤ（service_id）、イベントＩＤ（event_id）を含む。これらのデータの組み合わせは、推奨番組を一意に識別する推奨番組識別情報として機能する。推奨番組情報を送信することで、推奨番組サーバ１３０に推奨番組情報が蓄積される。
【００１７】
ネットワークＩＤは、放送番組のネットワークの識別子である。ネットワークＩＤによって、ある放送分配システム（放送系列）で伝送されるＴＳを他の放送分配システムで伝送されるＴＳから識別できる。
サービスＩＤは、サービスの識別子である。このサービスは、放送事業者によって作成される放送番組の連続的なスケジュールを意味する。
イベントＩＤは、イベントの識別子である。イベントとは、同一のサービスに属している開始時刻及び終了時刻が定められたＴＳの集合体であり、ニュース、ドラマなど１つの番組に対応する。
【００１８】
図３は、推奨番組サーバ１３０から受信される推奨番組情報の一例を表す模式図である。
本図に示すように、受信される推奨番組情報は、ネットワークＩＤ（network_id）、サービスＩＤ（service_id）、イベントＩＤ（event_id）、ランキングデータ（ranking_info）を含む。
ネットワークＩＤ（network_id）、サービスＩＤ（service_id）、イベントＩＤ（event_id）のデータの組み合わせは、推奨番組を一意に識別する推奨番組識別情報として機能する。
ランキングデータ（ranking_info）は８ｂｉｔ、即ち、０から２５５までの整数値によって、その番組のランキング（順位）を表わす。ランキングデータによって、ＥＰＧ上に推奨番組のランキングを表示できる。
受信される推奨番組情報に、その推奨番組のジャンルを加えることができる。この場合、ランキングデータは、そのジャンルでの推奨番組のランキングを表すことができる。この場合、ＥＰＧにその推奨番組のジャンルとそのジャンルでのランキングを表示できる。
【００１９】
キー入力部１１３は、ユーザ操作情報を入力する入力装置、例えば、キーボードである。ユーザ操作には、番組選択のためのフォーカス移動、メニューの起動、ＥＰＧの終了等が挙げられる。
キー入力部１１３は、方向キー、メニュー起動キーを有する。方向キーの押下によって、番組にフォーカスを移動する（番組を選択する）ことができる。メニュー起動キーの押下によって、後述のメニューＰ５を表示できる。
【００２０】
記憶部１２０は、ＲＯＭ（Read Only Memory）１２１、ＲＡＭ（Random Access Memory）１２２、ＮＶＲＡＭ（Non Volatile RAM：不揮発性メモリ）１２３で構成される。
ＲＡＭ１２２、ＮＶＲＡＭ１２３には、推奨番組情報が記憶される。
通常はＲＡＭ１２２に記憶された推奨番組情報を用いて、ＥＰＧ上に推奨番組が表示される。
【００２１】
ＮＶＲＡＭ１２３は、受信装置１００の起動時等でのＥＰＧ表示に利用される。ＮＶＲＡＭ１２３は受信装置１００が停止していても推奨番組情報を保持できる。このため、推奨番組サーバ１３０から推奨番組情報を受信すること無く、ＥＰＧ上に推奨番組を表示できる。推奨番組サーバ１３０からの受信が不要であることから、推奨番組を速やかに表示できる。
【００２２】
（受信装置１００の動作）
以下、受信装置１００の動作手順を説明する。
図４は、ＥＰＧが起動した場合の受信装置１００での処理手順の全体を示すフロー図である。図５〜図９は、図４の処理手順の詳細を表すフロー図である。
【００２３】
Ａ．起動処理（ステップＳ１１）
ユーザの操作に基づき、ＥＰＧが起動される。図５は、この起動手順の詳細を示すフロー図である。
（１）推奨番組情報の読み出し（ステップＳ２１）
推奨番組情報がＲＡＭ１２２またはＮＶＲＡＭ１２３より読み出される。ここで読み出される推奨番組情報は、推奨番組サーバ１３０から受信する推奨番組情報と同等とできる（図３参照）。
【００２４】
推奨番組情報は、推奨番組サーバ１３０から取得できる。しかし、ＥＰＧを起動する都度に推奨番組サーバ１３０から推奨番組情報を取得すると、ＥＰＧの起動時間が長くなる畏れがある。このため、ＥＰＧの起動時には、ＲＡＭ１２２もしくはＮＶＲＡＭ１２３より推奨番組データを取得することとしている。
【００２５】
受信装置１００の電源ＯＮ後、最初のＥＰＧ起動時には、ＮＶＲＡＭ１２３より推奨番組情報を取得し、取得した推奨番組情報をＲＡＭ１２２にコピーする。受信装置１００の電源ＯＦＦ時に、ＲＡＭ１２２中の推奨番組情報は保持されないからである。
その後、受信装置１００の電源ＯＦＦまで、ＲＡＭ１２２から推奨番組情報が取得され、ＥＰＧの表示に利用される。また、推奨番組サーバ１３０から推奨番組情報を受信したとき、ＲＡＭ１２２内の推奨番組情報が書き換えられる。ＲＡＭ１２２に最新の推奨番組情報を記憶させるためである。
受信装置１００の電源ＯＦＦ時には、ＲＡＭ１２２中の推奨番組情報をＮＶＲＡＭ１２３に書き込む。ＮＶＲＡＭ１２３に記憶される推奨番組情報をできるだけ最新の状態とするためである。
【００２６】
（２）ＥＰＧ表示する推奨番組の有無の判断（ステップＳ２２〜Ｓ２４）
推奨番組情報を読み込んだ後、推奨番組が存在するか否かを判定する（ステップＳ２２）。推奨番組自体が存在しない場合は、その表示もないからである。
推奨番組が存在する場合は、推奨番組情報とＥＰＧ情報とを比較する。即ち、推奨番組と、ＥＰＧで表示される番組同士で、推奨番組識別情報（ネットワークＩＤ、サービスＩＤ、イベントＩＤ）が一致するか否かを判断する。なお、ＥＰＧ情報はＥＰＧ処理部１０８によってＴＳから生成される。
この判断の結果によって、推奨番組の表示の有無が判定される。
【００２７】
（３）ＥＰＧ表示（ステップＳ２５、Ｓ２６）
ステップＳ２２、Ｓ２４の判定の結果に応じて、ＥＰＧが表示される。即ち、ステップＳ２２、Ｓ２４何れかの判定結果が“Ｎｏ”の場合、通常のＥＰＧ表示を行う。また、ステップＳ２４の判定結果が“Ｙｅｓ”の場合（推奨番組識別情報が一致する場合）、ＥＰＧ中に推奨番組が表示される。
【００２８】
図１０は、ＥＰＧの表示画面の一例を表す図である。
アイコンＰ１、Ｐ２はそれぞれ、推奨番組のランキングが１位および３位であることを示すアイコンである。ここでは、番組Ａ１、Ｂ２がそれぞれ、推奨番組のランキングで１位および３位となっている。
これらアイコンＰ１、Ｐ２は、推奨番組情報中のランキングデータに基づいて決定される。
【００２９】
表示Ｐ３は、推奨番組のアイコンの意味をユーザに認識させる為の説明を表示する。
強調表示Ｐ４は、ユーザの操作によって、番組Ａ１にフォーカスが当たっている（選択されている）ことを示している。このフォーカスが当たっている番組について各種の処理が可能となる。
【００３０】
メニューＰ５は、ユーザが利用可能なメニューを表示する。ユーザの操作により、メニューＰ５が表示される。メニューＰ５が表示された場合、ユーザの操作は、ＥＰＧ上ではなく、メニューＰ５上に反映される。
【００３１】
メニューＰ５内には、ボタンＰ６〜Ｐ８が配置される。ボタンＰ６は、推奨番組情報取得のためのボタンである。ボタンＰ７は、番組予約および推奨番組情報送信のためのボタンである。ボタンＰ８は、推奨番組情報送信のためのボタンである。ユーザの操作により、ボタンＰ６〜Ｐ８にフォーカスを移動させて各処理を選択し、実行する。ここでは、ボタンＰ６にフォーカスが当たっている状態を示している。
【００３２】
表示Ｐ９は、予約番組のアイコンの意味をユーザに認識させる為の説明を表示する。
アイコンＰ１０は、視聴または記録の予約がされた番組であることを示すアイコンである。ここでは、番組Ｂ１に視聴または記録の予約がされていることが示される。
【００３３】
Ｂ．メニュー処理（ステップＳ１２、Ｓ１３）
ＥＰＧ起動後、キー入力部１１３によってユーザ操作情報が入力される。これらのユーザ操作は、番組選択のためのフォーカス移動、メニューの起動、ＥＰＧの終了等である。
キー入力部１１３の方向キーの押下等によって、番組にフォーカスが移動する（番組が選択される）。番組を選択した状態で、キー入力部１１３のメニュー起動キーを押下げることで、メニューＰ５が表示され、その番組に対する処理を選択できる。
【００３４】
図６は、ステップＳ１３のメニュー処理の詳細を表すフロー図である。
メニューＰ５が表示され、ユーザ操作によってボタンＰ６〜Ｐ８（推奨番組情報取得、番組予約および情報送信、推奨番組情報送信）が選択される（ステップＳ３１〜Ｓ３６）。
ユーザの操作によってメニュー処理が終了されるまで、これらの処理が繰り返される（ステップＳ３７）。
【００３５】
（１）推奨番組情報の取得
推奨番組取得が選択された場合、推奨番組取得処理が実行される（ステップＳ３２）。
図７は、ステップＳ３２の推奨番組取得処理の詳細を表すフロー図である。
受信装置１００から推奨番組サーバ１３０に対して推奨番組情報の取得を要求する（ステップＳ４１）。即ち、推奨番組情報の送信を要求する情報（推奨番組送信要求）が通信処理部１１２から推奨番組サーバ１３０に送信される。
【００３６】
推奨番組サーバ１３０が推奨番組送信要求を受信した場合、推奨番組サーバ１３０はデータベース内の推奨番組情報を検索する（ステップＳ４２、Ｓ４３）。
推奨番組サーバ１３０から送信される推奨番組情報が、推奨番組送信要求を送信した受信装置１００に受信される（ステップＳ４４、Ｓ４５）。受信装置１００は、受信した推奨番組情報をＲＡＭ１２２に記憶する（ステップＳ４６）。
【００３７】
なお、受信装置１００は、推奨番組の個数分、図３に示したネットワークＩＤ（network_id）、サービスＩＤ（service_id）、イベントＩＤ（event_id）、ランキングデータ（ranking_info）の組み合わせを受信する。
【００３８】
（２）推奨番組情報の送信
メニューＰ５のボタンＰ８（推奨番組情報送信）が選択された場合、強調表示Ｐ４Ｐ４によってフォーカスが当たっている番組について、推奨番組情報が送信される（ステップＳ３４）。
図８は、ステップＳ３４の推奨番組情報送信処理の詳細を表すフロー図である。
通信処理部１１２から推奨番組サーバ１３０に推奨番組情報が送信される（ステップＳ５１）。推奨番組サーバ１３０は推奨番組情報を受信し、データベースに推奨番組情報を登録する（ステップＳ５２、Ｓ５３）。
なお、受信装置１００は、図２に示したネットワークＩＤ（network_id）、サービスＩＤ（service_id）、イベントＩＤ（event_id）の組み合わせを送信する。
【００３９】
（３）番組予約の送信
メニューＰ５のボタンＰ７（番組予約および情報送信）が選択された場合、強調表示Ｐ４によってフォーカスが当たっている番組について、番組予約及び推奨番組情報が送信される（ステップＳ３６）。
【００４０】
図９は、ステップＳ３６の番組予約及び情報送信処理の詳細を表すフロー図である。
ＥＰＧにより番組が予約される（ステップＳ６１）。この番組予約処理の際に、予約番組情報がＮＶＲＡＭ１２３に書き込まれる。
次に、通信処理部１１２から推奨番組サーバ１３０に推奨番組情報が送信される（ステップＳ６２）。推奨番組サーバ１３０は推奨番組情報を受信し、データベースに推奨番組情報を登録する（ステップＳ６３、Ｓ６４）。
なお、受信装置１００は、図２に示したネットワークＩＤ（network_id）、サービスＩＤ（service_id）、イベントＩＤ（event_id）の組み合わせを送信する。
【００４１】
Ｃ．ＥＰＧ表示の更新（ステップＳ１４、Ｓ１５）
メニューＰ５の表示が終了したり、フォーカスの移動によりＥＰＧの表示時間帯が移動した場合は、表示の更新の要否が判定される（ステップＳ１４）。この判定は、推奨番組の有無、予約番組の有無に基づき、既述のステップＳ２２〜Ｓ２４とほぼ同様の手順に従う。
【００４２】
ＲＡＭ１２２に記録された推奨番組情報に基づき、推奨番組が存在するか否かが判定される。推奨番組が存在する場合は、推奨番組情報とＥＰＧ情報を比較する。即ち、推奨番組と、ＥＰＧで表示される番組同士で、推奨番組識別情報（ネットワークＩＤ、サービスＩＤ、イベントＩＤ）が一致するか否かを判断する。
【００４３】
この判断結果によって、ＥＰＧ上での推奨番組の表示の有無が定まる。推奨番組識別情報が一致した場合、推奨番組情報のランキングデータに基づき、そのランキングに対応するアイコン（例えば、図１０のアイコンＰ１、Ｐ２）をＥＰＧ中に表示する。
また、予約番組と、ＥＰＧで表示される番組同士で、予約番組識別情報（ネットワークＩＤ、サービスＩＤ、イベントＩＤ）が一致するか否かを判断する。既述のように、アイコンＰ１０が、番組が予約されていることを表す。
ユーザ操作によってＥＰＧが終了させられるまで、以上の処理が繰り返される（ステップＳ１６）。
【００４４】
（その他の実施形態）
本発明の実施形態は上記の実施形態に限られず拡張、変更可能であり、拡張、変更した実施形態も本発明の技術的範囲に含まれる。
例えば、推奨番組サーバ１３０から受信する推奨番組情報に、ジャンル別のランキング情報を付加し、ジャンル別のランキング情報を取得可能としても良い。また、ＥＰＧの画面にジャンル別のランキングを示すアイコンを追加して、ランキング毎の順位を表示可能としても良い。
【図面の簡単な説明】
【００４５】
【図１】本発明の一実施形態に係る受信装置を表すブロック図である。
【図２】受信装置から推奨番組サーバに送信する推奨番組情報の一例を表す模式図である。
【図３】推奨番組サーバから受信装置に送信する推奨番組情報の一例を表す模式図である。
【図４】ＥＰＧが起動した場合の受信装置での処理手順の全体を示すフロー図である。
【図５】図４の処理手順の詳細を表すフロー図である。
【図６】図４の処理手順の詳細を表すフロー図である。
【図７】図４の処理手順の詳細を表すフロー図である。
【図８】図４の処理手順の詳細を表すフロー図である。
【図９】図４の処理手順の詳細を表すフロー図である。
【図１０】ＥＰＧの表示画面の一例を表す図である。
【符号の説明】
【００４６】
１００…受信装置、１０１…アンテナ、１０２…チューナ・復調部、１０３…デスクランブラ、１０４…多重分離部、１０５…映像・音声デコーダ、１０６…モニタ、１０７…スピーカ、１０８…ＥＰＧ処理部、１１１…制御部、１１２…通信処理部、１１３…キー入力部、１２０…記憶部、１３０…推奨番組サーバ
【図１】
2008011403.tif 000003
【図２】
2008011403.tif 000004
【図３】
2008011403.tif 000005
【図４】
2008011403.tif 000006
【図５】
2008011403.tif 000007
【図６】
2008011403.tif 000008
【図７】
2008011403.tif 000009
【図８】
2008011403.tif 000010
【図９】
2008011403.tif 000011
【図１０】
2008011403.tif 000012